(57)【要約】      （修正有）【課題】不要時にはコンパクトな形体、及び必要に応じて簡単に展開可能な浴室を提供する。【解決手段】浴槽部分と洗い場の床の連結部を回動可能な構造にし、折り畳み可能な外壁で囲んだ構造に組み込む。【選択図】図１
2013002265.tif 000002
【特許請求の範囲】
【請求項１】
浴室における浴槽と洗い場の防水パン床の位置関係が、回動により折りたたみ可能であることにより、浴室全体をコンパクトに折り畳み、展開変形可能なことを特徴とする屋外設置を目的とした折りたたみ式仮設浴室。
【発明の詳細な説明】
【技術分野】
【０００１】本発明は保管及び搬送時など、必要に応じて、折りたたみ可能な仮設入浴施設を提供する。
【背景技術】
【０００２】  浴室のリフォームなどの工事では、近くに銭湯などがなければしばらく入浴できない環境を強いることになる。
そこで仮設の入浴施設を考えるわけだが、保管、及び搬送時においてはよりコンパクトなもののほうが都合はよい。【０００３】  従来、殆どの部材をシートで構成することで折りたたみ可能な構造の入浴設備やシャワー設備、サウナは存在していたが、鏡や照明、手すりその他入浴時に必用であろう設備の装備及び雨や風等の対策について不適切な場合がある。
壁・屋根・床・天井などを分解可能なユニット化されたものもあるが、組み立てに時間と技術とを要する場合が多い。【０００４】「折り畳み式防水パンおよびその製造方法」という発明を見つけたが、床面積に対し広い防水パンの敷設に対し有効な、防水パン同士の連結方法に係るものであった【０００５】  各種電気器具、寝具、応接セット、浴室、トイレ等が装備された「移動式簡易住宅」なる出願もあるが、トレーラー式のキャンピングカーやトレーラーハウスに他ならないと見る。【０００６】  折り畳み式サウナ浴室というのがすでにあるが、浴槽・洗い場を持たない上に屋外設置を目的としていない場合が多いというか見当たらない。【０００７】  台車に防水パンと水詮を取り付けたようなものも存在し、移動に便利なだけでなく、台車としての役割も果たしそうなのでテントの部品を浴槽内に納め、それを防水パン付台車に載せて移動することは有効そうではあるが、これをもって仮設入浴施設とはいえないと思う。せいぜい「仮設入浴施設キット」であろう。【０００８】  浴室洗い場に備える台を、必要なときに出現させると共に不要なときには邪魔とならないように隠すことができるようにするアイデアや、折りたたみ式の水槽や風呂蓋を洗い場のカウンターとして利用するなど、浴室自体を折り畳む場合に有効そうなアイデアもすでに存在するのでこれらを有効に利用すれば目的とする保管・移動・設置に便利な屋外設置を目的とした仮設入浴施設はできそうである。【０００９】  ただ、浴槽部分と洗い場の床の連結に関する折り畳み構造に関する文献は見つけることが出来なかったが、この部分が折り畳み可能であれば、コンパクトに収納可能な入浴設備となり、これを折り畳み等変形可能な家屋と一体化することで従来のトレーラーハウス型とは違い、保管時、移動時に場所をとらない仮設入浴施設ができそうである。
【特許文献１】特許公開２００３−２７５５１折り畳み式防水パンおよびその製造方法
【特許文献】特許公開２００２−１２９７６１移動式簡易住宅
【特許文献】特許公開平１１−４７０２０浴室洗い場の台構造
【特許文献】特許公開平１１−４８６８折り畳み式サウナ浴室
【特許文献】特許公開２００５−３４６０１防水パン
【特許文献】特許公開２０００−５１１１５浴室の洗い場構造
【登録実用新案】
登録実用新案第３０５５５２４号持ち運びができる入浴装置
【登録実用新案】
登録実用新案第３０３１２１９号持ち運びができる入浴装置
【登録実用新案】
登録実用新案第３０７０４５９号折りたたみ式風呂
【発明の開示】
【発明が解決しようとする課題】
【００１０】  浴室のリフォームなどの工事では、近くに銭湯などがなければしばらく入浴できない環境を強いることになる。
そこで仮設の入浴施設を考えるわけだが、保管、及び搬送時においてはよりコンパクトなもののほうが都合はよい。
従来、殆どの部材をシートで構成することで折りたたみ可能な構造の入浴設備やシャワー設備は存在していたが、鏡や照明、手すりその他入浴時に必用であろう設備の装備及び雨や風等の対策について不適切な場合がある。
壁・屋根・床・天井などを分解可能なユニット化されたものもあるが、組み立てに時間と技術とを要する場合が多い。
【課題を解決するための手段】
【００１１】  設置時間で有利な折りたたみ式を考える上で、浴室における浴槽と洗い場の防水パン床の位置関係を、回動により折りたたみ可能な変形構造とすることで、浴室自体がコンパクトに変形可能とすることが出来、それを囲む家屋自体もコンパクトに変形可能とすれば、入浴施設自体をよりコンパクトな変形可能とすることができることに気がついた。
【発明の効果】
【００１２】  実施例では薪焚き釜を接続した当発明の入浴施設下部に車輪をつけた本体を一人の作業で軽トラックの荷台に収まるサイズに折りたたむことを可能とした。
軽量に設計したのでスロープ等を使い移動手段への積み込みも容易であった。そのため、狭い門を抜け軒下をくぐり、裏の畑で展開・設置し、浴室のリフォーム工事の間、そこを利用してもらうことが出来るようになった。【００１３】  テント構造と違い、鏡や手すりなどがビス止め可能なため、設備を充実させることが可能である。【００１４】  災害時の備えとして、立体駐車場のような保管方法をとれば縦方向の保管も容易である。
【発明を実施するための最良の形態】
【００１５】  防水パンとそれを乗せる床は分けて考え、防水パンを後で乗せる構造とする。
浴槽のエプロン下部に防水パン立ち上がり部が潜り込むように防水パンを乗せる床の高さを決定し、さらに上方向に回動し折り畳み後の状態がコンパクトになるよう床の連結位置を決め、蝶番構造を施す。【００１６】  浴槽のエプロン下部に防水パン床が潜り込み、さらに上方向に回動し折り畳み後の状態がコンパクトになるようにリンク構造を施す。【００１７】  浴槽のエプロン下部に防水パン床が潜り込むみ、さらに上方向に回動し折り畳み後の状態がコンパクトになるようにレール構造を施す。【００１８】  浴槽のエプロン下部に防水パン床が潜り込むみ、さらに上方向に回動し折り畳み後の状態がコンパクトになるように上記構造の複合による適用を施す。【００１９】  上記方法による変形が生かせるように壁と屋根も折り畳み可能な構造とする。
たとえば浴槽側の壁の外寸を防水パン側の壁の内寸以下に設計すればスライド形式の伸縮構造が得られる。
また、浴槽側の壁の外寸を防水パン側の壁の内寸以下に設計した上で浴槽から上の部分を内側に折りたためる構造にしておけば、防水パン床と一体に防水パン側壁も回動すれば浴槽部に覆いかぶさるように防水パン側壁を折りたたむことが可能であるので、高さ方向を縮める変形も可能である。【００２０】  あとは、露天風呂仕様以外であれば屋根が必要となるが、完全分離・後載せ式、スライド式連結、回動・リンクなどによる連結等、方法はある。
【図面の簡単な説明】
【００２１】
【図１】本発明に係る防水パンとそれを乗せる床は分けて考えた場合の構造例を示す
【００２２】
【図２】本発明に係る浴槽のエプロン下部に防水パン床が潜り込むみ、さらに上方向に回動し折り畳み後の状態がコンパクトになるようなリンク構造を施す設計例を示す
【００２３】
【図３】本発明に係る浴槽のエプロン下部に防水パン床が潜り込み、さらに上方向に回動し折り畳み後の状態がコンパクトになるようなリンク構造及びレールを施す設計例を示す
【００２４】
【図４】本発明を利用した折りたたんだ状態の屋外設置可能な移動式仮設浴室の例と縦置き保管のイメージを示す
【００２５】
【図５】本発明を利用した展開した状態の屋外設置可能な移動式仮設浴室の例を示す
【符号の説明】
【００２６】▲１▼浴槽を示す
▲２▼防水パン部を示す
▲３▼蝶番・ピン等回動支点部を示す
▲４▼リンク構造部を示す
▲５▼レール構造部を示す
▲６▼レール構造としても働く移動用車輪を示す
▲７▼折り畳み可能な構造を有する壁
▲８▼折り畳み可能な構造を有する壁
▲９▼屋根
▲１０▼自在車輪
▲１１▼循環式風呂釜
【図１】
2013002265.tif 000003
【図２】
2013002265.tif 000004
【図３】
2013002265.tif 000005
【図４】
2013002265.tif 000006
【図５】
2013002265.tif 000007